(57)【要約】【課題】  面積の小さい太陽光パネルを容易に且つ低コストで設置できる架台を提供する。【解決手段】  架台は、ベース体に取り付けられて太陽光パネルを支持する。架台は、その横断面形状が、太陽光パネルを支持するための上面部と、ベース体に取り付けられたときにベース体に接触する下面部と、上面部と下面部とを接続する側面部と、を有する長尺状に形成されている。そして、上面部は、側面部よりも外側に突出し且つ下面部に対して傾斜して形成されている。【選択図】図１
2017028887.tif 000002
【特許請求の範囲】
【請求項１】
ベース体に取り付けられて太陽光パネルを支持する架台であって、
横断面形状が、前記太陽光パネルを支持するための上面部と、前記ベース体に取り付けられたときに当該ベース体に接触する下面部と、前記上面部と前記下面部とを接続する側面部と、を有する長尺状に形成されており、
前記上面部は、前記側面部よりも外側に突出し且つ前記下面部に対して傾斜して形成されている、
架台。
【請求項２】
請求項１に記載の架台であって、
前記横断面形状は、前記側面部と前記上面部とを接続するアーチ状の補強部を更に有している、
架台。
【請求項３】
請求項１又は２に記載の架台であって、
前記側面部には、内側に凹んだ凹部が形成されており、
前記凹部の前記下面部側の端部には、前記上面部側に突出する突出部が形成されており、
前記凹部の底部と前記下面部とを接続する下面補強部が更に形成されている、
架台。
【請求項４】
請求項１乃至３の何れか１項に記載の架台であって、
前記上面部は、前記下面部に対して５度から４５度の範囲で傾斜して形成されている、
架台。
【請求項５】
請求項１乃至４の何れか１項に記載の架台であって、
アルミニウム材の押し出し成形により形成されている、
架台。
【発明の詳細な説明】
【技術分野】
【０００１】
本発明は、架台に関する。
【背景技術】
【０００２】
従来、コンクリート台、支柱、又は、建造物の屋根などのベース体に、太陽光パネルを設置することが行われている（例えば特許文献１参照）。一般に、太陽光パネルは、受光効率が高くなるように、水平面に対して傾斜して設けられることが好ましい。特許文献１では、コンクリート土台に支柱を設置し、設置した複数の支柱に枠部材を傾斜させて架け渡している。そして、太陽光パネルを枠部材に保持させることによって、太陽光パネルを傾斜させて固定している。
【先行技術文献】
【特許文献】
【０００３】
【特許文献１】特開２０１４-１９００３３号公報
【発明の概要】
【発明が解決しようとする課題】
【０００４】
特許文献１に記載の架台では、重量および面積が大きい太陽光パネルを設置している。しかし、面積の大きい太陽光パネルを設けると、太陽光パネルから雨水などが滴り落ちる場所が限定され、その場所が水たまりとなったり抉れたりする場合がある。このため、特に、太陽光パネルの下に植物を植えたりする場合などには、面積の小さい太陽光パネルを複数設ける方が好ましい。また、特許文献１に記載のように土台に支柱を設置して支柱に枠部材を取り付ける手法では、部品点数および作業工数が多くコスト高となってしまう。
【課題を解決するための手段】
【０００５】
本発明は、上述の課題の少なくとも一部を解決するためになされたものであり、面積の小さい太陽光パネルを容易に且つ低コストで設置できる架台を提供することを目的とする。
【０００６】
本発明の架台は、ベース体に取り付けられて太陽光パネルを支持する。架台は、その横断面形状が、太陽光パネルを支持するための上面部と、ベース体に取り付けられたときにベース体に接触する下面部と、上面部と下面部とを接続する側面部と、を有する長尺状に形成されている。そして、上面部は、側面部よりも外側に突出し且つ下面部に対して傾斜して形成されている。
かかる構成により、本発明の架台は、上面部が下面部に対して傾斜して形成されているので、面積の小さい太陽光パネルを架台の上面部に直接に取り付けることにより太陽光パネルをベース体に対して傾斜して設けることができる。また、架台は、横断面形状が上面部、下面部、及び、側面部を有する長尺状に形成されており、容易に製造することができる。したがって、本発明の架台により、面積の小さい太陽光パネルを容易に且つ低コストで設置することができる。
【０００７】
また、架台の横断面形状は、側面部と上面部とを接続するアーチ状の補強部を更に有していてもよい。
こうすれば、上面部と側面部との剛性を向上することができる。
【０００８】
また、側面部には、内側に凹んだ凹部が形成され、凹部の下面部側の端部には、上面部側に突出する突出部が形成されていてもよい。そして、凹部の底部と下面部とを接続する下面補強部が更に形成されていてもよい。
こうすれば、架台の凹部および突出部を利用することによって架台をベース体に容易に取り付けることができる。しかも、凹部の底部と下面部とを接続する下面補強部が形成されているので、凹部および突出部の剛性を向上することができる。
【０００９】
また、上面部は、下面部に対して５度から４５度の範囲で傾斜して形成されていてもよい。
こうすれば、太陽光パネルをベース体に対して傾斜させて架台に取り付けることができる。
【００１０】
また、架台は、アルミニウム材の押し出し成形により形成されていてもよい。
こうすれば、架台を容易に形成することができる。
【図面の簡単な説明】
【００１１】
【図１】本発明の実施形態に係る架台を示す図であり、（ａ）は平面図、（ｂ）は底面図、（ｃ）は正面図、（ｄ）は背面図、（ｅ）は右側面図、（ｆ）は拡大右側面図である。
【図２】本実施形態に係る架台を示す斜視図である。
【図３】本実施形態の架台とベース体との取付の一例を示す図である。
【図４】架台と太陽光パネルとの取付の一例を示す図である。
【図５】本実施形態の架台の使用例を示す図である。
【図６】変形例の架台の図１（ｆ）に対応する図である。
【発明を実施するための形態】
【００１２】
以下、本発明の一実施形態に係る架台を図面に基づいて説明する。図１は、本発明の実施形態に係る架台を示す図であり、（ａ）は平面図、（ｂ）は底面図、（ｃ）は正面図、（ｄ）は背面図、（ｅ）は右側面図、（ｆ）は拡大右側面図である。なお、左側面図は右側面図と対称にあらわれる。図２は、本実施形態に係る架台を示す斜視図である。架台１００は、例えばコンクリート土台、支柱、骨組み、又は、建造物の屋根などのベース体に取り付けられて、太陽光パネルをベース体に固定するために用いられる。
【００１３】
架台１００は、図１および図２に示すように、長尺状であり、長手方向が水平方向または屋根面などのベース体の所定の取付面に沿うように設置される。以下、架台１００の長手方向をＸ方向、架台１００の短手方向をＹ方向、架台１００の高さ方向をＺ方向として説明する。架台１００は、この実施形態では、図１（ｆ）に示す側面形状がＸ方向に連続する形状に形成されている。なお、架台１００の長手方向（Ｘ方向）の長さは、ベース体の寸法、および、取り付ける太陽光パネルの寸法等に基づいて所望のものを用意すればよい。架台１００は、例えば金属の押し出し、鋳造、または、樹脂の射出形成などにより形成することができる。一例として、本実施形態の架台１００は、アルミニウム材の押し出し成形により形成されている。
【００１４】
図１及び図２に示すように、架台１００は、太陽光パネルを支持するための上面部１１０と、ベース体に接触する下面部１２０と、上面部１１０と下面部１２０とを接続する側面部１３０と、を備える。
【００１５】
下面部１２０は、架台１００の底面を規定する。下面部１２０は、本実施形態では、Ｘ方向およびＹ方向に延びる平面板状に形成されている。下面部１２０は、架台１００がベース体に取り付けられたときにベース体と接触して、側面部１３０および上面部１１０を支持する。
【００１６】
上面部１１０は、架台１００の天面を規定する。上面部１１０は、Ｘ方向に延びる平面板状であって、下面部１２０に対して傾斜した平面板状に形成されている。上面部１１０と下面部１２０との傾斜角度θ１（図１（ｆ）参照）は、好ましくは５〜４５度の傾斜、更に好ましくは１０〜３０度である。本実施形態では、上面部１１０は、下面部１２０に対して１５度傾斜して形成されている（θ１＝１５度）。上面部１１０には、太陽光パネルが取り付けられる。上面部１１０の下面部１２０に対する傾斜角度θ１については、ベース体の水平方向に対する傾き、及び、太陽光パネルの設置角度などに基づいて所望の角度とすればよい。また、本実施形態では、上面部１１０には、太陽光パネルを取り付けるための複数の孔１１２が形成されている。孔１１２は、太陽光パネルの寸法などに応じて形成されればよい。なお、本実施形態の架台１００は、この孔１１２が形成されていることを除いて、Ｘ方向に直交する断面が同一形状に形成されている。
【００１７】
側面部１３０は、架台１００の側面を規定する。側面部１３０は、上端が上面部１１０と連続する。本実施形態では、上面部１１０は、側面部１３０よりも外側（Ｙ方向）に突出し、側面部１３０の上端は、外側に曲がって上面部１１０の下面に接続されている。また、本実施形態では、架台１００には、側面部１３０と上面部１１０とを接続する補強部１４０が形成されている。補強部１４０は、上面部１１０、下面部１２０、及び、側面部１３０と同様に、Ｘ方向に延びて形成されている。補強部１４０は、その下端が側面部１３０の内側面に連続し、下端から上端に向けて内側（Ｙ方向）に曲がったアーチ状に形成され、その上端が上面部１１０の下面に連続している。こうした補強部１４０によって、側面部１３０と上面部１１０との剛性を向上することができる。
【００１８】
側面部１３０の下端は、下面部１２０のＹ方向両端と連続する。また、側面部１３０には、内側（Ｙ方向）に凹んだ凹部１３２が下端付近に形成されている。本実施形態では、凹部１３２は、上側部１３３、底部１３４、及び、下側部１３５を有する。凹部１３３の底部１３４は、Ｘ方向およびＺ方向に延びる平面状に形成されている。また、凹部１３３の上面部１１０側の端部である上面部１３３は、底部１３３から滑らかに外側（Ｙ方向）に広がって形成されている。さらに、凹部１３２の下面部１２０側の端部である下側部１３５は、下面部１２０と平行な平面状に形成されている。この凹部１３２の下側部１３５には、上面部１１０側に突出する突出部１３６が形成されている。本実施形態では、突出部１３６は、下側部１３５の外側（Ｙ方向）の縁に形成されている。ただし、こうした例に限定されず、突出部１３６は、例えば凹部１３２の下側部１３５の中央などに形成されていてもよい。また、本実施形態では、凹部１３２の底部１３４と下面部１２０とを接続する下面補強部１３８が形成されている。下面補強部１３８は、本実施形態では、Ｘ方向及びＺ方向に延びる平面板状に形成されている。こうした下面補強部１３６によって、凹部１３２および突出部１３６の剛性を向上することができる。
【００１９】
図３は、本実施形態の架台とベース体との取付の一例を示す図である。なお、図３では、架台１００及びベース体２００について、Ｘ方向に直交する断面を示している。図３に示すように、架台１００をベース体２００に取り付けるときには、まず、下面部１２０がベース体２００と接触するように、ベース体２００の上に架台１００を載置する。そして、取付金具２１０とビス２２０を用いて架台１００をベース体２００に固定する。本実施形態では、取付金具２１０は、ベース体２００と当接するベース体側当接部２１２と、架台１００の側面部１３０と当接する架台側当接部２１４と、を有する。架台側当接部２１４は、側面部１３０に沿ってＺ方向に延出する。また、架台側当接部２１４には、架台１００の凹部１３２と嵌合する嵌合部２１６が形成されている。嵌合部２１６は、取付金具２１０がベース体２００に取り付けられたときに凹部１３２の突出部１３６及び下側部１３５と当接するように形成されている。つまり、取付金具２１０の下端から架台側当接部２１４までの距離と、架台１００の下端から突出部１３６の上端までの距離とが、等しくなるように形成されている。なお、取付金具２１０は、Ｘ方向において架台１００と等しい長さである必要はなく、架台１００よりも短い取付金具２１０を複数用いて複数カ所で架台１００とベース体２００とが接続されてもよい。
【００２０】
図４は、架台と太陽光パネルとの取付の一例を示す図である。なお、図４では、架台１００に２つの太陽光パネル３００を取り付ける例を示しているが、架台１００に取り付ける太陽光パネル３００の数は任意である。本実施形態では、太陽光パネル３００は、架台１００の上面部１１０に載置され、図示しないビスによって孔１１２を介して架台１００に固定される。このときには、太陽光パネル３００は、１つの架台１００によって支持される。このように太陽光パネル３００が架台１００に固定されることにより、太陽光パネル３００は、上面部１１０の傾斜角度に応じて傾斜して取り付けられる。また、太陽光パネル３００が１つの架台１００によって支持されるので、太陽光パネル３００の設置を容易に行うことができる。
【００２１】
図５は、本実施形態の架台の使用例を示す図である。図５に示す例では、既設の建造物の屋根２００Ａに、屋根２００Ａの傾斜に沿って複数の縦ラック２１０Ａが設けられている。また、架台１００の長手方向（Ｘ方向）が、複数の縦ラック２１０Ａの長手方向に直交するように、複数の縦ラック２１０Ａの上に架台１００が固定されている。そして、複数の架台１００のそれぞれの上面部１１０に太陽光パネル３００が固定されている。このように、本実施形態の架台１００を用いることで、複数の太陽光パネル３００を屋根２００Ａなどに容易に取り付けることができる。
【００２２】
以上説明した本実施形態の架台１００は、横断面形状が、太陽光パネル３００を支持するための上面部１１０と、ベース体２００と接触する下面部１２０と、上面部１１０と下面部１２０とを接続する側面部１３０と、を有する長尺状に形成されている。そして、上面部１１０は、側面部１３０よりも外側に突出し、且つ、下面部１２０に対して傾斜して形成されている。これにより、本実施形態の架台１００を用いることにより、面積の小さい太陽光パネル３００を容易に且つ低コストで設置することができる。
【００２３】
上記の実施形態では、架台１００の下面部１２０は、Ｘ方向およびＹ方向に延びる平面板状であって、２つの側面部１３０を接続するように形成されるものとした。しかし、図６に示す変形例の架台１００Ａのように、架台１００Ａの下面部１２０Ａは、２つの側面部１３０を接続しなくてもよい。図６に示す例では、架台１００Ａの下面部１２０Ａは、凹部１３２の下側部１３５と同一の長さに形成されている。
【００２４】
また、上記の実施形態では、架台１００は、上面部１１０と接続部１３０とを接続する補強部１４０を有するものとした。しかし、補強部１４０は、形成されていなくてもよい。さらに、上記の実施形態では、側面部１３０に凹部１３２が形成されるものとしたが、凹部１３２に代えて、又は加えて、横方向に突出する凸部が形成されてもよい。この場合には、側面部１３０から横方向（Ｙ方向）に突出する凸部において架台１００とベース体２００とが固定されてもよい。また、側面部１３０は、凹部１３２及び凸部が形成されなくてもよい。
【００２５】
また、上記の実施形態では、架台１００は、取付金具２１０によってベース体２００と固定されるものとしたが、こうした例には限定されない。例えば、架台１００は、ベース体２００と直接にビスで締結されてもよい。また、架台１００は、所定の取付金具にビス等で固定され、取付金具がベース体２００に固定されることによって、ベース体２００に固定されてもよい。
【００２６】
以上、本発明の実施の形態について説明してきたが、上記した発明の実施の形態は、本発明の理解を容易にするためのものであり、本発明を限定するものではない。本発明は、その趣旨を逸脱することなく、変更、改良され得るとともに、本発明にはその均等物が含まれることはもちろんである。また、上述した課題の少なくとも一部を解決できる範囲、または、効果の少なくとも一部を奏する範囲において、実施形態および変形例の任意の組み合わせが可能であり、特許請求の範囲および明細書に記載された各構成要素の任意の組み合わせ、または、省略が可能である。
【符号の説明】
【００２７】
１００  架台
１１０  上面部
１２０  下面部
１３０  側面部
１３２  凹部
１３３  上側部
１３４  底部
１３５  下側部
１３６  突出部
１３８  下面補強部
１４０  補強部
２００  ベース体
２１０  取付金具
２００Ａ  屋根
２１０Ａ  横ラック
２２０  ビス
３００  太陽光パネル
【図１】
2017028887.tif 000003
【図２】
2017028887.tif 000004
【図３】
2017028887.tif 000005
【図４】
2017028887.tif 000006
【図５】
2017028887.tif 000007
【図６】
2017028887.tif 000008
【手続補正書】
【提出日】平成28年9月23日(2016.9.23)
【手続補正１】
【補正対象書類名】特許請求の範囲
【補正対象項目名】全文
【補正方法】変更
【補正の内容】
【特許請求の範囲】
【請求項１】
ベース体に取り付けられて太陽光パネルを支持する架台であって、
当該架台は、長手方向に伸びる長尺状であり、
前記長手方向に直交する横断面形状が、前記太陽光パネルを支持するための上面部と、前記ベース体に取り付けられたときに当該ベース体に接触する下面部と、前記上面部と前記下面部とを接続する側面部と、を有し、
前記上面部は、前記側面部よりも外側に突出し且つ前記下面部に対して傾斜して形成されており、
前記架台は、アルミニウム材の押し出し成形により形成されている、
架台。
【請求項２】
請求項１に記載の架台であって、
前記横断面形状は、前記側面部と前記上面部とを接続するアーチ状の補強部を更に有している、
架台。
【請求項３】
請求項１又は２に記載の架台であって、
前記側面部には、内側に凹んだ凹部が形成されており、
前記凹部の前記下面部側の端部には、前記上面部側に突出する突出部が形成されており、
前記凹部の底部と前記下面部とを接続する下面補強部が更に形成されている、
架台。
【請求項４】
請求項１乃至３の何れか１項に記載の架台であって、
前記上面部は、前記下面部に対して５度から４５度の範囲で傾斜して形成されている、
架台。